(57)【特許請求の範囲】
【請求項１】
動画像信号の受信手段と、
前記受信手段で受信した前記動画像信号の記録を行いつつ再生動作を同時に実行可能なメモリ手段と、
外部モニタへの接続端子を有し、該接続端子を介して再生された動画像信号を該外部モニタへ出力する出力手段と、
前記メモリ手段に記録される前記動画像信号の記録及び再生動作を指示するためのマニュアル指示手段と、
前記マニュアル指示手段による第１の指示に応じて前記メモリ手段に前記動画像信号の記録を行いながら前記動画像信号の一部である静止画像信号を再生して前記出力手段から出力するよう切り替え、前記マニュアル指示手段による第２の指示に応じて前記メモリ手段に対する前記動画像信号の記録を継続しつつ前記第１の指示に応じて出力された前記静止画像信号に替えて前記メモリ手段に記録された前記動画像信号を再生して前記出力手段から出力するよう切り替える制御手段とを備えたことを特徴とする記録再生装置。
【請求項２】
前記制御手段は、前記マニュアル指示手段による第３の指示に応じて前記メモリ手段に対する前記動画像信号の記録を継続しつつ前記メモリ手段に記録された前記動画像信号を変速再生して、その再生画像信号を前記出力手段から出力するよう制御することを特徴とする請求項１に記載の記録再生装置。
【請求項３】
前記メモリ手段により再生された動画像信号の情報量を伸張する伸張手段を備え、
前記出力手段は、前記伸張手段によって伸張された動画像信号を前記外部モニタに出力することを特徴とする請求項１または２に記載の記録再生装置。
【発明の詳細な説明】
【技術分野】
【０００１】
本発明は、記録再生装置に関し、特には画像信号の記録再生に関する。
【背景技術】
【０００２】
従来より、家庭用ＶＴＲにおいてはタイムシフトという概念の下にテレビジョン信号の記録および再生が行われている。
上記タイムシフトとしては、具体的にはタイマー設定による留守録画や、テレビ視聴を中座するときなどに便利なワンタッチタイマーなどがある。
【０００３】
周知の一般例として、タイマー設定による留守録画の概略を説明する。これは、テレビチューナーとテレビ信号記録再生装置と、これらを制御するためのタイマー手段とからなるＶＴＲ装置により、所望の時刻に、所望のテレビ局からの放送番組を受信して録画することであり、これによりある番組が放送される時間とその番組を視聴する時間とをシフト可能とするものである。
【発明の開示】
【発明が解決しようとする課題】
【０００４】
しかしながら、上記ワンタッチタイマーを設定するためには、上記テレビジョン信号を記録可能なビデオテープをＶＴＲ装置に予め装着しておかないと、急に中座する必要が生じた場合には間に合わないという問題を有していた。
また、視聴を再開するにあたっては、記録している番組がまだ終了していないときには、その番組の途中から視聴を再開するか、或いは番組が終了するまで待つかの何方か一方を選択しなければならなかった。したがって、どちらにしても視聴者にとっては好ましいことではなかった。
【０００５】
更に、現在視聴している場面を再度確認したい場合がある。このような場合、従来のＶＴＲでも対応することができるが、逆転再生を行っている期間のテレビジョン信号を記録することができないので、番組の放送中に逆転再生を行うとその部分を後で視聴ができなくなってしまう不都合があった。
したがって、このような不都合なく逆転再生を行うためには、視聴中の番組録画を完了させてから所望の箇所まで巻き戻して、逆転再生を開始するようにしなければならなかったので、手間や時間が大変にかかるものであった。
【０００６】
本発明は上述の問題点にかんがみ、視聴者が視聴中に中座した場合に、中座した時点からのシーンを、中座から戻ってきた後に引き続き視聴できるようにすることを目的とする。
【課題を解決するための手段】
【０００７】
本発明の記録再生装置は、動画像信号の受信手段と、前記受信手段で受信した前記動画像信号の記録を行いつつ再生動作を同時に実行可能なメモリ手段と、外部モニタへの接続端子を有し、該接続端子を介して再生された動画像信号を該外部モニタへ出力する出力手段と、前記メモリ手段に記録される前記動画像信号の記録及び再生動作を指示するためのマニュアル指示手段と、前記マニュアル指示手段による第１の指示に応じて前記メモリ手段に前記動画像信号の記録を行いながら前記動画像信号の一部である静止画像信号を再生して前記出力手段から出力するよう切り替え、前記マニュアル指示手段による第２の指示に応じて前記メモリ手段に対する前記動画像信号の記録を継続しつつ前記第１の指示に応じて出力された前記静止画像信号に替えて前記メモリ手段に記録された前記動画像信号を再生して前記出力手段から出力するよう切り替える制御手段とを備えたことを特徴としている。
また、本発明の他の特徴とするところは、前記制御手段は、前記マニュアル指示手段による第３の指示に応じて前記メモリ手段に対する前記動画像信号の記録を継続しつつ前記メモリ手段に記録された前記動画像信号を変速再生して、その再生画像信号を前記出力手段から出力するよう制御することを特徴としている。
また、本発明のその他の特徴とするところは、前記メモリ手段により再生された動画像信号の情報量を伸張する伸張手段を備え、前記出力手段は、前記伸張手段によって伸張された動画像信号を前記外部モニタに出力することを特徴としている。
【発明の効果】
【０００８】
本発明によれば、テレビジョン放送等を視聴中に中座する際には、第１の指示を行うことで中座以降のシーンを記録しつつ、かつ視聴していたモニタに視聴ポーズ中であることが容易に識別できるような静止画像を表示させることができる。そして、中座から復帰したならば、第２の指示を行うことで中座した時点からのシーンを引き続き視聴できる。
【発明を実施するための最良の形態】
【０００９】
次に、図１の構成図を用いて本発明の情報記憶再生装置の第１実施例の構成および動作を説明する。
図１に示したように、ＡＶレシーバー１１等から与えられるアナログの入力映像信号を映像入力端子１２を介して受け入れるとともに、音声信号を音声入力端子１４より受け入れる。
【００１０】
これらの入力端子１２、１４から入力されたアナログの映像信号および音声信号は、Ａ／Ｄ変換器１３、１５によりそれぞれディジタル信号に変換される。そして、その後データを圧縮するための画像圧縮器３１、および音声圧縮器３０にて各々データ量が削減される。
次いで、合成器１６にて映像データと音声データとが合成され、映像および音声の複合データとして所定単位毎にデータブロック化されてバッファメモリ１７に一旦書き込まれる。なお、本実施例においては、バッファメモリ１７として２ポート以上の複数のポートに同時にアクセスすることが可能なメモリ素子を用いている。
【００１１】
また、ここで用いられるデータ圧縮器は、映像情報ならばＤＣＴ等をベースとしたものである。例えば、ＪＰＥＧ推奨の静止画処理を各画面毎に行うものや、ＭＰＥＧ推奨の高度な可変長符号化の他に、シンプルな固定長符号化を用いても良い。例えば、音声情報ならば聴覚特性を考慮した符号化や、エントロピー符号化等の理論に基づく適応変換符号化、および３２〜１０２４の周波数帯域に細分化して各々の帯域で音楽信号を分析する手法の帯域分割符号化等のＭＰＥＧにて検討されているものが現在では良好な圧縮特性を示している。
【００１２】
ちなみに、ＪＰＥＧとＭＰＥＧは、画像の国際標準化の検討グループのことであり、ＪＰＥＧはＪｏｉｎｔ  Ｐｈｏｔｏｇｒａｐｈｉｃ  Ｅｘｐｅｒｔ  Ｇｒｏｕｐの略である。
また、ＭＰＥＧとは、Ｍｏｖｉｎｇ  Ｐｉｃｔｕｒｅ  Ｅｘｐｅｒｔ  Ｇｒｏｕｐの略であり、各々静止画と動画像を検討対象としている。
なお、このような画像圧縮に関しては、日経ニューメディア１９９１年３月４日特別版の１頁〜３２頁に詳細が紹介されている。
【００１３】
その後、所定の制御の下に上記したバッファメモリ１７より読み出されたデータが分離器１８に与えられ、ここで映像信号と音声信号とに再び分離される。そして、これらの信号が画像伸張器３３、および音声伸張器３２に各々与えられ、圧縮前の情報量にそれぞれ復号される。
この復号されたデータが、Ｄ／Ａ変換器１９、２２によってアナログ信号に変換されることにより、任意の時間遅れを生じた映像信号および音声信号として、出力端子２０、２３から出力される。この出力信号が、映像モニタ２１とスピーカ２４へそれぞれ供給されることにより、所望の放送番組の映像と音声とが再現される。
【００１４】
このような所定の制御は、システムコントローラー２８を中心として行われるものであり、このシステムコントローラー２８に指示された書き込み制御器２５と読み出し制御器２６とにより、上述したバッファメモリ１７や合成器１６、および分離器１８等の動作が制御される。
【００１５】
テレビジョン放送の視聴を中断するときには、キー入力部２９を介してポーズ指示情報を入力する。入力されたポーズ指示情報は、システムコントローラー２８へ与えられる。
バッファメモリ１７は、ポーズ指示情報が与えられるとＡＶ情報の記録を開始するとともに、書き込み情報の先頭画面に相当する画像情報を繰り返し読み出し、これを静止画として表示する。
【００１６】
そして、テレビジョン放送を再度視聴可能な状態になったときには、キー入力部２９からポーズ状態を解除する指示情報を入力する。このポーズ状態の解除指示情報がシステムコントローラー２８に与えられると、バッファメモリ１７に記録された情報の再生処理が開始される。
【００１７】
バッファメモリ１７に記録する動作は、ポーズ指示が行われた時点から継続されており、バッファメモリ１７の記憶容量を全て使用してメモリ・フルの状態になったときか、さもなくば視聴を終了する指示がキー入力部２９を介してシステムコントローラー２８へ与えられたときに、情報記録動作が始めて終了となるように成されている。
【００１８】
次に、タイマー設定に基づいて制御される予約録画処理の実行手順を、図２および図３を用いて順次説明する。
図２は、時刻Ｔ０から時刻Ｔ６までの時間経過を示し、図３は時刻Ｔ１〜時刻Ｔ６の各時点のバッファメモリ１７の状態を未記録、記録済、再生済と区別して各々示している。
【００１９】
図２において、時刻Ｔ０が初期状態である。ここで、時刻Ｔ１のタイミングでキー入力部２９からポーズ指示がシステムコントローラー２８に入力されたとすると、時刻Ｔ１から録画が開始される。
このときのバッファメモリ１７の状態は、図３のＴ１に示すようにスタート直後のためにすべて未記録状態（φにて表示）である。
【００２０】
そして、時刻Ｔ１から時間ｔ１経過後の時刻Ｔ２では、時間ｔ１に相当する部分のメモリ容量が記録済であり、残りは未記録状態φである。この第１実施例の情報記憶再生装置においては、このように録画を継続しつつ、ほぼ上記ポーズ指示情報が入力された時点の静止画面を再生処理している。
【００２１】
次に、時刻Ｔ３にてポーズ状態を解除すると、録画済情報の再生を開始する。この再生開始時点のメモリ状態は、例えば図３の時刻Ｔ３に示すように、記録済領域と未記録メモリ領域との配分となり、再生領域はまだ存在しない。
次に、時刻Ｔ３から時間ｔ２だけ時間が経過した時刻Ｔ４では、時間ｔ２だけ再生処理済のメモリ領域が既に発生している。
【００２２】
また、これと同時に時間ｔ２に相当するだけの記録も時刻Ｔ３に比べて進行している。なお、この第１実施例においては、２ポート以上の複数のポートに同時にアクセスが可能なメモリ素子を用いているので、このような同時記録再生処理が実現可能となった。
【００２３】
この状態にて同時記録再生処理を継続し、メモリ・フルの状態に達すると録画処理を終了する。この場合、ここまでの再生時間はｔ３であり、残りの再生可能時間はＴ３−Ｔ１である。録画処理が終了すると、後は再生処理のみが行われることになる。
時刻Ｔ６で再生処理終了を指示すると、図中のＴ６に示すように、未記録部分φと、ポーズ実行期間Ｔ３−Ｔ１に相当する記録済部分を残している。なお、本実施例においては、再生処理時にデータの消去等は行わないので、この後必要に応じて何度でも再生可能である。
【００２４】
以上述べた再生動作を変更することも可能である。変更した場合には、その再生速度に応じて時刻Ｔ３と時刻Ｔ６との時間間隔が変化する。この場合、再生（読み出し）アドレスが記録（書き込み）アドレスを追い越さない範囲であれば、再生速度を自由に設定することができる。
【００２５】
一例として、高速再生のモードを有し、この指示をキー入力部２９より入力した場合に、これを検知し標準速度に比べて読み出しアドレスのカウントを速く（数番地毎に飛び越し指定）する処理を行うようにしたフローチャートを、図４に紹介する。
【００２６】
なお、図４の動作フローチャートは、システムコントローラー２８の制御について示しており、１５段階の処理ステップよりなる。以下の説明においては、各処理ステップをＳ０１〜Ｓ１５と記す。
【００２７】
先ず、Ｓ０１でキー入力部２９を操作して、システムコントローラー２８を介してＡＶレシーバ１１からのＡＶ情報（音声情報と映像情報）をスピーカ２４とモニタ２１とにより再生するように、ＡＶ信号経路を設定する。
次に、Ｓ０２でポーズ指示の入力があるか否かを監視し、ポーズ指示の入力があった場合にはＳ０３〜Ｓ０７に順次進む。
【００２８】
Ｓ０３では、読み出し制御器２６に対して再生開始アドレスの初期設定を行うとともに、Ｓ０４では、書き込み制御器２５に対して記録開始アドレスの初期設定を行う。
また、Ｓ０５ではデータ合成器１６より供給される情報の記録を開始する。そして、情報記録が開始されると、Ｓ０６でメモリ１７の書き込みアドレスを順次カウントアップして行くとともに、Ｓ０７で書き込みアドレスを監視し、容量オーバーとなったらＳ１３の処理にジャンプして記録停止する。
【００２９】
次に、Ｓ０８に進んでポーズＯＦＦか否かを判別し、ポーズＯＦＦの場合はＳ０９に進んで再生アドレスをカウントアップする。
アドレスに余裕がある場合には、次に、Ｓ１０に進んで早送り指示の有無を判別し、早送り指示が有ればＳ１１で再生アドレスを高速でカウントアップする。また、早送り指示が無いと判定したときには、この早送り再生処理Ｓ１１をバイパスする。
【００３０】
一方、Ｓ０８においてポーズ解除指示が無いと判定したときには、再生処理Ｓ０９〜Ｓ１１をバイパスしてＳ１２に進む。
Ｓ１２では、再生終了の指示および記録停止の指示を監視し、これらの指示がある場合はＳ１３に進む。また、再生終了の指示および記録停止の指示が行われていない場合はＳ０６へ戻り、上述した処理を繰り返し行う。
【００３１】
Ｓ１３では、再生終了の指示、或いは容量オーバーの条件で記録動作を停止する。
次に、Ｓ１４に進み再生アドレス（Ａpb）と記録アドレス（Ａrec ）との大小関係を比較する。
この場合、
再生アドレス（Ａpb）≦記録アドレス（Ａrec ）
ならば、記録済領域なのでＳ０８へ戻って再生動作を続行する。
【００３２】
また、
再生アドレス（Ａpb）＞記録アドレス（Ａrec ）
の場合は、未記録領域に突入したことを意味するので、Ｓ１５へ進んで再生動作を停止し、未記録領域に突入するのを防止する。
【００３３】
この第１実施例の情報記憶再生装置は、このようにして情報の記録／再生を行うので、図５の動作概念図に示すように、例えばテレビジョン放送を視聴中に中座するためにＴＶポーズオンの指示が行われると、動いている画像を一時停止させるフリーズ表示状態となり、ＴＶポーズオンの指示が行われた時点の画面がスチル表示される。また、ＴＶポーズオンの指示が行われた時点からそのテレビジョン放送の記録が開始される。
【００３４】
そして、視聴者が中座から戻ってＴＶポーズオフの指示が行われると、中座前に視聴していたテレビジョン放送の再生が開始される。しかも、この再生は中座により中断した箇所から行うことができるので、視聴者は中座したにも拘わらずそのテレビジョン放送を一貫して視聴することが可能となる。
【００３５】
次に、本発明の情報記憶再生装置の第２実施例を説明する。この第２実施例においては、キー入力部２９から逆転再生指示情報が与えられたときに、以下に述べるように動作する。
すなわち、逆転再生指示情報が与えられると、これがシステムコントローラー２８に入力される。
【００３６】
システムコントローラー２８は、逆転再生指示情報を受け付けるとテレビジョン信号の記録を継続しつつ、時間軸に対して逆方向の再生処理を開始する。
これは、上述した記録処理のアドレス・カウント・アップとは逆方向に、現在のアドレス値からの減算となる。
このようにして逆転再生にて検索を行い、所望の箇所へ達したならば逆転再生指示に代えて、正転再生指示をキー入力部２９からシステムコントローラー２８へ入力する。
【００３７】
しかる後、再度テレビジョン信号を視聴可能な状況になった時点で視聴者はポーズ状態の解除指示をキー入力部２９からシステムコントローラー２８へ入力することにより、再生処理を開始する。
記録処理は、この場合も初期設定から依然として継続されており、メモリの記憶容量を全て使用してメモリ・フルの状態となったときか、さもなくば視聴を終了する指示がキー入力部２９よりシステムコントローラー２８へ入力されたときに始めて記録終了となる。
【００３８】
次に、この第２実施例における情報記憶再生装置の記録・再生の実行手順を図６および図７に従って順次説明する。
図６は、時刻Ｔ０から時刻Ｔ６までの時間経過を示し、図７は時刻Ｔ１〜時刻Ｔ６の各時点のバッファメモリ１７の状態を未記録、記録済、再生済と区別して各々示している。
【００３９】
先ず、初期設定のためＴ１でテレビジョン信号の記録を開始する。この場合も、メモリ初期状態では全て未記録状態（φにて表示）である。
そして、時刻Ｔ１から時間ｔ１経過後の時刻Ｔ２でレビュー指示がキー入力部２９からシステムコントローラー２８へ入力されると、この時点から逆転再生が開始される。
【００４０】
時刻Ｔ１から時刻Ｔ２の時間間隔をｔ１とすると、時間ｔ１に相当する部分のテレビジョン信号がこの時点で記録されている。このときのバッファメモリ１７の状態は、図７のＴ２に示すように時間ｔ１に相当する部分が記録済であり、残りは未記録状態φである。
【００４１】
また、時間ｔ２経過後の時刻Ｔ３では、時間ｔ２に相当する部分のメモリ領域が更に記録済となり、同時に逆方向に時間ｔ２期間相当の領域が再生される。
このように、録画を継続しつつレビュー指示を入力された時点から逆方向に再生処理し、所望の画面検索を実行する。そして、所望の画面が検索できたならばレビュー指示を解除する。
【００４２】
このレビュー指示の解除時点をＴ３とし、ここから正方向の録画済情報の再生を開始する。この正方向再生の開始時点のバッファメモリ１７の状態を、図７のＴ３に示す。
図７のＴ３から明らかなように、レビュー開始時点から時間ｔ２期間だけ、記録と再生とを各々逆方向にアドレスを進めているのが記されている。
【００４３】
次に、時刻Ｔ３からいくらか時間が経過した時刻Ｔ４では、メモリ領域がアドレスの小さい方から順に、記録済領域、再生済領域、記録済領域、未記録領域となっており、メモリ容量にまだ余裕がある状態として例示されている。
一方、時刻Ｔ５は時刻Ｔ３から時間ｔ３期間だけ経過しており、バッファメモリ１７の容量の全てに情報を格納した状態として例示してある。
【００４４】
本実施例ではバッファメモリ１７の容量の全てに情報が格納された状態になると、記録動作を終了するように設定してある。また、バッファメモリ１７の容量に余裕がある時刻Ｔ６に再生動作の終了指示をキー入力部２９からシステムコントローラー２８へ送ると、録画も同時に終了するように設定してある。
この第２実施例においても、２ポート以上の複数のポートに同時にアクセスが可能なメモリ素子を用いているので、このような同時記録再生処理が実現可能となった。
また、この場合も再生処理時にデータの消去等は行わないので、この後必要に応じて何度でも再生可能である。
【００４５】
以上述べた再生処理は変更することも可能である。変更した場合には、その再生速度に応じて時刻Ｔ２と時刻Ｔ６との時間間隔が変化する。
この場合、再生（読み出し）アドレスが記録（書き込み）アドレスを追い越さない範囲であれば、再生速度を自由に設定することができる。
【００４６】
一例として、高速再生のモードを有し、この指示をキー入力部２９より入力した場合に、これを検知し標準速度に比べて読み出しアドレスのカウントを速く（数番地毎に飛び越し指定）する処理を行うようにしたフローチャートを、図８に紹介する。
【００４７】
なお、図８の動作フローチャートは、システムコントローラー２８の制御について示しており、１４段階の処理ステップよりなっている。以下の説明においては、各処理ステップをＳ０１〜Ｓ１４と記す。
先ず、Ｓ０１でキー入力部２９を操作して、システムコントローラー２８を介してＡＶレシーバ１１からのＡＶ情報（音声情報と映像情報）をスピーカ２４とモニタ２１とにより再生するように、ＡＶ信号経路を設定する。
【００４８】
次に、Ｓ０２で読み出し制御器２６に対して再生開始アドレスの初期設定を行うとともに、Ｓ０３で書き込み制御器２５に対して記録開始アドレスの初期設定を行う。
また、Ｓ０４ではデータ合成器１６より供給される情報の記録を開始する。そして、情報記録が開始されると、Ｓ０５でメモリ１７の書き込みアドレスを順次カウントアップして行くとともに、Ｓ０６で書き込みアドレスを監視し、容量オーバーとなったらＳ１３の処理にジャンプして記録停止する。
【００４９】
次に、Ｓ０７に進んでレビュー指示があるか否かを判別し、レビュー指示がある場合はＳ０８に進んで再生アドレスをカウント・ダウンする。
次に、Ｓ０９で正方向再生指示が無ければ正方向再生処理をＳ１０をバイパスし、正方向再生指示がある場合には、再生アドレスをカウントアップする。
【００５０】
一方、Ｓ０７においてレビュー指示が無いと判定したときには、再生処理Ｓ０８〜Ｓ１０をバイパスしてＳ１１に進む。
Ｓ１１では、記録または再生終了の指示を監視し、これらの指示がある場合Ｓ１２に進む。また、再生終了の指示および記録停止の指示が行われていない場合はＳ０５へ戻り、上述した処理を繰り返し行う。
【００５１】
Ｓ１２では、再生終了の指示、或いは容量オーバーの条件で記録動作を停止する。
次に、Ｓ１３に進み再生アドレス（Ａpb）と記録アドレス（Ａrec ）との大小関係を比較する。
この場合、
再生アドレス（Ａpb）≦記録アドレス（Ａrec ）
ならば、記録済領域なのでＳ０８へ戻って再生動作を続行する。
【００５２】
また、
再生アドレス（Ａpb）＞記録アドレス（Ａrec ）
の場合は、未記録領域に突入したことを意味するので、Ｓ１４へ進んで再生動作を停止し、再生箇所が未記録領域に突入するのを防止する。
【００５３】
この第２実施例の情報記憶再生装置は、このようにして情報の記録／再生を行うので、図９の動作概念図に示すように、例えばテレビジョン放送を視聴中に画面を再度確認するためにレビュー指示を行うと、逆転再生が開始される。
そして、所望の期間だけ逆転再生を視聴した後で再生指示を行うと、逆転再生開始前に視聴していたテレビジョン放送の再生が開始される。しかも、この再生は逆転再生により中断した箇所から行うことが可能なので、視聴者はテレビジョン放送を視聴中に逆転再生を行ったにも拘わらず、そのテレビジョン放送を一貫して視聴することができるものである。
【図面の簡単な説明】
【００５４】
【図１】本発明の一実施例を示す情報記憶再生装置の構成図である。
【図２】本発明の第１実施例の情報記憶再生装置の動作を説明するためのタイムチャートである。
【図３】第１実施例のメモリの利用状態を示すメモリ領域説明図である。
【図４】第１実施例の処理手順を説明するためのフローチャートである。
【図５】第１実施例の情報記憶再生装置の動作概念図である。
【図６】本発明の第２実施例の情報記憶再生装置の動作を説明するためのタイムチャートである。
【図７】第２実施例のメモリの利用状態を示すメモリ領域説明図である。
【図８】第２実施例の処理手順を説明するためのフローチャートである。
【図９】第２実施例の情報記憶再生装置の動作概念図である。
【符号の説明】
【００５５】
１０  表示部
１１  ＡＶレシーバ
１３  Ａ／Ｄ変換器
１５  Ａ／Ｄ変換器
１６  合成器
１７  バッファメモリ
１８  分離器
１９  Ｄ／Ａ変換器
２５  書き込み制御器
２６  読み出し制御器
２７  タイマー部
２８  システムコントローラー
２９  キー入力部
３０  音声圧縮器
３１  画像圧縮器
３２  音声伸張器
３３  画像伸張器
【図１】
0003610352.tif 000002
【図２】
0003610352.tif 000003
【図３】
0003610352.tif 000004
【図４】
0003610352.tif 000005
【図５】
0003610352.tif 000006
【図６】
0003610352.tif 000007
【図７】
0003610352.tif 000008
【図８】
0003610352.tif 000009
【図９】
0003610352.tif 000010